(57)【要約】【課題】試薬類等を適切に取り扱うことができるカプセルおよび化学処理用カートリッジを提供する。【解決手段】カプセル１はドーム状の２つのフィルム１１，１２をその周囲で互いに貼り合わせることにより形成されている。フィルム１１，１２は、アルミ蒸着が施されたヒートシール可能なフィルムをしぼり成形加工することにより形成される。２つのフィルム１１，１２は加熱温度によってシール強度を変えられる材料(イージーピール材料)で構成され、周辺の接着領域Ｒで互いに熱溶着される。その後、カプセル１の内部に充填部１３を介して試薬等の内容物が充填される。【選択図】図１
2010137215.tif 000002
【特許請求の範囲】
【請求項１】
外部から与えられた力による変形により内容物を移動させて化学処理を行わせる化学処理用カートリッジに供給される物質を気密的に収容するカプセルであって、
前記カプセルは前記化学処理用カートリッジの材質よりも気密性の高い材質で構成され、
前記カプセルを押し潰すことで前記カプセルに収容された前記物質が、前記化学処理用カートリッジの所定の領域に供給されることを特徴とするカプセル。
【請求項２】
前記カプセルには、内圧で最初に破壊される部位が設けられ、前記カプセルを押し潰した時に、前記部位から前記物質が放出されることを特徴とする請求項１に記載のカプセル。
【請求項３】
前記カプセルは前記化学処理用カートリッジに収容され、前記化学処理用カートリッジの外側からの力により押し潰されることを特徴とする請求項１または２に記載のカプセル。
【請求項４】
前記カプセルは前記化学処理用カートリッジに差し込まれた状態で押し潰されることにより、前記物質が前記化学処理用カートリッジに供給されることを特徴とする請求項１または２に記載のカプセル。
【請求項５】
複数の前記カプセルが連結された状態で前記化学処理用カートリッジに差し込まれることを特徴とする請求項４に記載のカプセル。
【請求項６】
外部から与えられた力による変形により内容物を移動させて化学処理を行わせる化学処理用カートリッジにおいて、
前記化学処理用カートリッジの材質よりも気密性の高い材質で構成され、前記化学処理用カートリッジの所定の領域に供給される物質を気密的に収容するカプセルが、前記化学処理用カートリッジ内に収容され、
前記化学処理用カートリッジの外側からの力により前記カプセルを押し潰すことで、前記カプセルに収容された前記物質が、前記化学処理用カートリッジの前記所定の領域に供給されることを特徴とする化学処理用カートリッジ。
【発明の詳細な説明】
【技術分野】
【０００１】
本発明は、外部から与えられた力による変形により内容物を移動させて化学処理を行わせる化学処理用カートリッジおよび化学処理用カートリッジと組み合わせて使用されるカプセルに関する。
【背景技術】
【０００２】
外部から与えられた力による変形により内容物を移動させて化学処理を行わせる化学処理用カートリッジが知られている。この化学処理用カートリッジには、所望の化学処理の手順に即した形状、配置でウェルや流路が形成されており、カートリッジに押し付けたローラを移動させることなどにより内容物を移動させることで、容易に上記手順に従った化学処理を実行できるものである。
【先行技術文献】
【特許文献】
【０００３】
【特許文献１】特開２００５−３７３６８号公報
【発明の概要】
【発明が解決しようとする課題】
【０００４】
化学処理用カートリッジにおける化学処理に必要な試薬類は、カートリッジのウェル内に予め充填しておく必要がある。しかし、化学処理用カートリッジを構成している材質はシリコンゴム等の弾性樹脂であり気体透過性が大きい。また、アルコール等の溶剤は弾性樹脂内に浸透、拡散しやすい。このため、試薬の種類によってはカートリッジ内に長期保存することができないという問題がある。
【０００５】
また、カートリッジ内に充填させた一定容量の試薬類を再現性よく次のウェルに導入することは非常に困難であり、試薬類の無駄を排除することや、安定した反応を得ることが難しいという問題がある。
【０００６】
さらに、試薬類を溜めるためのウェルに、外部から注射器やピペットなどを用いて試薬を充填する際に、ウェル内の空気が排除しきれずに残留し、あるいは、充填時や充填後にウェル内に気泡が混入するおそれがある。このような気泡はその後の反応等に悪影響を与えるため、気泡の混入を確実に防止する必要がある。
【０００７】
本発明の目的は、試薬類等を適切に取り扱うことができるカプセルおよび化学処理用カートリッジを提供することにある。
【課題を解決するための手段】
【０００８】
本発明のカプセルは、外部から与えられた力による変形により内容物を移動させて化学処理を行わせる化学処理用カートリッジに供給される物質を気密的に収容するカプセルであって、前記カプセルは前記化学処理用カートリッジの材質よりも気密性の高い材質で構成され、前記カプセルを押し潰すことで前記カプセルに収容された前記物質が、前記化学処理用カートリッジの所定の領域に供給されることを特徴とする。
このカプセルによれば、化学処理用カートリッジの材質よりも気密性の高い材質で構成されるので、試薬類等を適切に取り扱うことができる。
【０００９】
前記カプセルには、内圧で最初に破壊される部位が設けられ、前記カプセルを押し潰した時に、前記部位から前記物質が放出されてもよい。
【００１０】
前記カプセルは前記化学処理用カートリッジに収容され、前記化学処理用カートリッジの外側からの力により押し潰されてもよい。
【００１１】
前記カプセルは前記化学処理用カートリッジに差し込まれた状態で押し潰されることにより、前記物質が前記化学処理用カートリッジに供給されてもよい。
【００１２】
複数の前記カプセルが連結された状態で前記化学処理用カートリッジに差し込まれてもよい。
【００１３】
本発明の化学処理用カートリッジは、外部から与えられた力による変形により内容物を移動させて化学処理を行わせる化学処理用カートリッジにおいて、前記化学処理用カートリッジの材質よりも気密性の高い材質で構成され、前記化学処理用カートリッジの所定の領域に供給される物質を気密的に収容するカプセルが、前記化学処理用カートリッジ内に収容され、前記化学処理用カートリッジの外側からの力により前記カプセルを押し潰すことで、前記カプセルに収容された前記物質が、前記化学処理用カートリッジの前記所定の領域に供給されることを特徴とする。
この化学処理用カートリッジによれば、化学処理用カートリッジの材質よりも気密性の高い材質で構成されたカプセルに物質を気密的に収容するので、試薬類等を適切に取り扱うことができる。
【発明の効果】
【００１４】
本発明のカプセルによれば、化学処理用カートリッジの材質よりも気密性の高い材質で構成されるので、試薬類等を適切に取り扱うことができる。
【００１５】
本発明の化学処理用カートリッジによれば、化学処理用カートリッジの材質よりも気密性の高い材質で構成されたカプセルに物質を気密的に収容するので、試薬類等を適切に取り扱うことができる。
【図面の簡単な説明】
【００１６】
【図１】一実施形態のカプセルを示す図であり、（ａ）はカプセルの形状を示す斜視図、（ｂ）は上記カプセルの構成を示す断面図。
【図２】カプセルの構成等を示す図であり、（ａ）は接着領域Ｒの状態を示す平面図、（ｂ）は内容物が放出される様子を示す斜視図。
【図３】カプセルを化学処理用カートリッジに収容した例を示す平面図。
【図４】カプセルの他の形態を示す図であり、（ａ）は、平板状のフィルムとドーム状のフィルムとを組み合わせたカプセルを示す断面図、（ｂ）は、カプセル内に複数のカプセルを収容する例を示す図。
【図５】カプセルを連結した例を示す図であり、（ａ）はカセットの平面図、（ｂ）はカセットおよびカートリッジの断面図、（ｃ）は（ｂ）のＣ−Ｃ線断面図。
【図６】カプセルを連結した例を示す図であり、（ａ）はカセットの平面図、（ｂ）はカセットおよびカートリッジの断面図、（ｃ）は（ｂ）のＣ−Ｃ線断面図。
【図７】折り曲げ可能としたカセットの構成を示す図であり、（ａ）は平面図、（ｂ）は断面図。
【図８】カプセルを押し潰すための治具の構成例を示す図であり、（ａ）〜（ｃ）は治具を用いた押し込み動作を示す図、（ｄ）は先端が平面状に形成された治具を示す図、（ｅ）は先細り形状の治具を示す図、（ｆ）は先端にラウンドを有する治具を示す図。
【図９】カプセルの周囲を押さえリングで押さえ込む例を示す図、（ａ）は断面図、図９（ｂ）は平面図。
【発明を実施するための形態】
【００１７】
以下、本発明によるカプセルの実施形態について説明する。
【００１８】
図１（ａ）は一実施形態のカプセルの形状を示す斜視図、図１（ｂ）は上記カプセルの構成を示す断面図である。
【００１９】
図１（ａ）および図１（ｂ）に示すように、カプセル１はドーム状の２つのフィルム１１，１２をその周囲で互いに貼り合わせることにより形成されている。フィルム１１，１２は、アルミ蒸着が施されたヒートシール可能なフィルムをしぼり成形加工することにより形成される。２つのフィルム１１，１２は加熱温度によってシール強度を変えられる材料(イージーピール材料)で構成され、周辺の接着領域Ｒで互いに熱溶着される。その後、カプセル１の内部に充填部１３を介して試薬等の内容物が充填される。
【００２０】
図１（ｃ）および図１（ｄ）はカプセル１の使用方法を示す斜視図、図１（ｅ）はカプセルの断面図である。
【００２１】
図１（ｃ）に示すように、治具５１等によりカプセル１を押し込むと、フィルム１２が変形して反転した形状となる。このとき、フィルム１１，１２が同一形状とされているので、フィルム１２がフィルム１１に密着した状態となり（図１（ｄ）および図１（ｅ））、デッドボリュームが発生せず、内容物が完全に放出される。また、試薬のムダや気泡の混入のない送液が可能となる。
【００２２】
図２（ａ）は接着領域Ｒの状態を示す平面図、図２（ｂ）は内容物が放出される様子を示す斜視図である。
【００２３】
図２（ａ）に示すように、接着領域Ｒは充填部１３の中心領域を避けてカプセル１の外縁に沿って設けられる。充填部１３の中心領域は内容物の充填時に使用される充填口１３ａとして使用される。
【００２４】
また、接着領域Ｒは接着力の強い領域Ｒ１と、接着力の弱い領域Ｒ２とからなる。カプセル１を製造する際には、まず、領域Ｒを低温で熱溶着することで領域Ｒ２に対応する接着力で全体を貼り合わせる。次に、領域Ｒ１を高温で熱溶着し接着力を増大させる。このように、２段階でのシールを行う。
【００２５】
カプセル１に内容物を充填する際には、充填部１３の充填口１３ａから注射針等を差し込んで内容物を注入する。次いで点線で示す封止部１３ｂを高温で熱溶着し、内容物を密封する。なお、カプセル１への内容物の充填時に気泡が混入した場合には、そのカプセルを不良品として廃棄すれば良い。
【００２６】
図２（ｂ）に示すように、カプセル１を押し潰すと、接着力の弱い領域Ｒ２においてフィルム１１，１２が離れ、その隙間から内容物が放出される。
【００２７】
図２（ｃ）は内容物の放出部分に放出路を設けたカプセルの斜視図、図２（ｄ）はその断面図である。
【００２８】
図２（ｃ）および図２（ｄ）に示すように、カプセル１Ａは、カプセル１に、領域Ｒ２から延びる放出路１５が追加された構成とされている。カプセル１Ａを押し潰すと、領域Ｒ２においてフィルム１１，１２が離れて内容物が放出路１５を流れ、放出路１５の先端から内容物が放出される。
【００２９】
図１および図２に示すカプセルによれば、耐溶剤性、ガス遮断性に優れるアルミ積層フィルムで形成したカプセル内に内容物を密封できるため、使用する直前に混合する必要のある用時調製用試薬等を長期間安定に保存できる。
【００３０】
また、カプセル内の内容物を一定量に規定することは容易であるとともに、カプセルを押し潰す際のアクチュエータの動作条件により内容物の全量の排出を容易に制御できる。さらに、カプセル１は上下の面が対称形のため、上面のフィルム１２が反転して下面のフィルム１１に密着しデッドスペースが生じないため、カプセル１内に内容物が残留しない。以上の理由から、カートリッジ内に再現良く一定量の内容物を放出可能となる。
【００３１】
また、気泡のない状態で内容物をカプセルに充填することで、放出される内容物への気泡の混入を防止できる。
【００３２】
図３は、カプセルを化学処理用カートリッジに収容した例を示す平面図である。
【００３３】
図３に示すように、化学処理用カートリッジ２の内部には、所望の化学処理の手順に即した形状、配置でウェル２１〜ウェル２４およびウェル間を接続する流路２５，２６等が形成されている。化学処理用カートリッジ２は弾力性のあるシリコンゴム等の材質で形成され、ウェルや流路を形成することで、カートリッジ２に押し付けたローラ５２を移動させることで、容易に上記手順に従った化学処理を実行できる。
【００３４】
図３に示す例では、カートリッジ２のウェル２１およびウェル２２に、それぞれカプセル１Ａが収容されている。図３に示すように、カプセル１Ａは、その放出路１５がそれぞれ後続のウェル２３に通じる流路２５および流路２６に差し込まれるように配置される。治具等を用いて、カプセル１Ａを、カートリッジ２を介して押し潰すことにより、それぞれの内容物が流路２５および流路２６に向けて供給される。その後、ローラ５２を移動させることで所定の化学処理を実行できる。
【００３５】
図４は、カプセルの他の形態を示す図である。
【００３６】
図４（ａ）は、平板状のフィルムとドーム状のフィルムとを組み合わせたカプセルを示す断面図である。図４（ａ）に示すように、カプセル１Ｃは、平板状のフィルム１１Ｃと、ドーム状のフィルム１２Ｃとを貼り合わせることで構成されている。この場合には、フィルム１２を押し潰すことで、内容物を放出することができる。
【００３７】
図４（ｂ）は、カプセル内に複数のカプセルを収容する例を示している。
【００３８】
図４（ｂ）の例では、カプセル１の内部に２つのカプセル１Ｄ，１Ｄが収容されている。２つのカプセル１Ｄ，１Ｄには、互いに異なる内容物が封入されており、カプセル１を押し潰す際にカプセル１Ｄ，１Ｄも同時に押し潰され内容物が混合される。図２（ｂ）に示したように、混合された内容物は、所定の方向から放出される。このような構成により、２つの内容物を使用時に混合（用時調製）することが可能となる。例えば、使用時に２液を反応させたい場合などに利用できる。
【００３９】
図５に示すようにカプセルを連結してもよい。図５（ａ）はカセットの平面図、図５（ｂ）はカセットおよびカートリッジの断面図、図５（ｃ）は図５（ｂ）のＣ−Ｃ線断面図である。
【００４０】
図５（ａ）に示すように、樹脂製のカセット１０Ｅには、４つのカプセル１Ｅが形成されている。図５（ｃ）に示すように、カプセル１Ｅは、カセット１０Ｅのベース部分に形成された凹部１７Ｅの周囲と、ドーム状のフィルム１Ｅとを互いに接着することで形成される。
【００４１】
化学処理用カートリッジ２Ａは、４つのカプセル１Ｅに対応する内部構成を有しており、図５（ｂ）に示すように、カプセル１Ｅの放出路１５Ｅの先端を側面からカートリッジ２Ａ内部に挿入する。これによって、例えば、必要な試薬セットをワンタッチでカートリッジ２Ａへ確実に装填することができる。この連結されたカセット１０Ｅとカートリッジ２Ａは、ロック機構付きのクリップなどの専用の結合部材２７で止めることで相互に確実に固定することができる。この状態で、カプセル１Ｅを押し潰すことで、内容物をカートリッジ２Ａに注入することができる。この際、カプセル１Ｅをカセット１０Ｅの凹部１７Ｅと治具等との間に挟み込むようにして、カプセル１Ｅを押し潰すことができる。
【００４２】
このようにカプセルをカセット化することで、カプセル製作時およびカートリッジへの装填時のハンドリング性が向上する。例えば、カートリッジに複数の試薬を導入する場合に、１つのカセットにより複数の試薬が同時に装着できるため、カプセルの配置作業ミスを防止できる。
【００４３】
図６は、カプセルを連結する別のカセットの構成例を示している。図６（ａ）はカセットの平面図、図６（ｂ）はカセットおよびカートリッジの断面図、図６（ｃ）は図６（ｂ）のＣ−Ｃ線断面図である。
【００４４】
図６（ｃ）に示すように、カプセル１Ｆは、カセット１０Ｆのベース部分に形成された凹部１７Ｆの周囲と、ドーム状のフィルム１Ｆとを接着することで形成される。
【００４５】
図６（ａ）に示すように、４つのカプセル１Ｆを互いに連結するカセット１０Ｆは、カセット１０Ｅよりもベース部分が拡張されている。図６（ｂ）および図６（ｃ）に示すように、カプセル１Ｆの放出路１５Ｆの先端を側面からカートリッジ２Ｂの内部に挿入し、結合部材２８でカセット１０Ｆとカートリッジ２Ｂとを固定すると、カセット１０Ｆのベース部分がカートリッジ２Ｂに沿った状態となる。したがって、カプセル１Ｅを押し潰す際だけでなく、ローラ等によりカートリッジ２Ｂにおける送液を行う際にも、カセット１０Ｆのベース部分を土台として使用できる。
【００４６】
図７（ａ）は、折り曲げ可能としたカセットの構成を示す平面図、図７（ｂ）は断面図である。
【００４７】
図７（ａ）および図７（ｂ）に示すように、カセット３には４つのカプセル３２とともに、それぞれのカプセル３２から放出される内容物を導く放出路３３が作り込まれている。放出路３３を化学処理用カートリッジ２Ｃに差し込み、折り曲げ部３１を折り曲げることで、カセット３を化学処理用カートリッジ２Ｃに装着する。化学処理用カートリッジ２Ｃには突起２９ａおよび突起２９ｂが、カセット３にはこれに対応する孔（不図示）が、それぞれ形成されており、突起２９ａおよび突起２９ｂを介してカセット３が化学処理用カートリッジ２Ｃに固定される。
【００４８】
図８は、カプセルを押し潰すための治具の構成例を示す図である。これらの治具はアクチュエータにより、あるいは手動により駆動される。
【００４９】
図８（ａ）〜図８（ｃ）は治具５２を用いた押し込み動作を示している。図８（ａ）に示すように、治具５２は上下方向に駆動される基部５２ａと、基部５２ａに対し軸５２ｃ周りに回転可能に取り付けられた先端部５２ｂとからなる。先端部５２ｂが非対称とされているため、図８（ａ）〜図８（ｃ）に示すように、基部５２ａを押し下げると、カプセル１を押し込むにつれて先端部５２ｂが図８（ａ）〜図８（ｃ）において時計周りに回転する。これにより、カプセル１の左方から右方に接触部位が移動するため、カプセル１の内容物を右方向に効率的に放出することができる。なお、化学処理用カートリッジにカプセルが収容されている場合には、化学処理用カートリッジの外側からカプセルに先端部５２ｂを押し付ければよい。
【００５０】
図８（ｄ）は先端が平面状に形成された治具を示している。図８（ａ）の例では、治具５３は上下方向に駆動され、カプセル全体を均一に押し潰すため、例えば、図４（ａ）に示すカプセルに適用される。
【００５１】
図８（ｅ）は、先細り形状の治具５４を、図８（ｆ）はさらに先端にラウンドを有する治具５５を、それぞれ示している。
【００５２】
図９はカプセルの周囲を押さえリングで押さえ込む例を示しており、図９（ａ）は断面図、図９（ｂ）は押さえリングの形状を示す平面図である。
【００５３】
図９（ａ）および図９（ｂ）に示すように、円筒状の押さえリング５６ａ、およびカプセル１の形状に即した凹部５６ｃを有する押さえリング５６ｂによりカプセル１の領域Ｒを挟み込んだ状態で、治具５１によりカプセル１を押し潰す。カプセル１の領域Ｒ２に対応する部位には、押さえリング５６ａおよび押さえリング５６ｂに切欠き５６ｄが形成されており、カプセル１の内容物は切欠き５６ｄを介して放出される。
【００５４】
このような押さえリングを用いることにより、カプセルが横にずれ、あるいは内容物が周辺に漏れることを防止できるので、確実に送液することができる。
【００５５】
なお、化学処理用カートリッジにカプセルが収容されている場合には、化学処理用カートリッジの外側からカプセルを押さえ込めばよい。
【００５６】
上記各実施形態において、カプセルを構成する材料は，耐溶剤性やガス遮断性がある材質であればよく、金属層を含む樹脂積層フィルム、PVAフィルム、EVOHフィルム、シリカ蒸着フィルム、PP、PC、PET等の樹脂フィルムのほか、金属単体のフィルムとしてアルミを用いることもできる。
【００５７】
また、３つ以上の部材を組み合わせてカプセルを形成してもよい。例えば、テトラボッドのような多面体状のカプセルを３つ以上の部材により形成してもよい。
【００５８】
カプセルとして、薬品や食品で使用される有機系のカプセルを用いることもできる。この場合、滴下法、ロータリー法によりカプセルを形成することができる。また、散剤などの薬剤を保持するハードカプセルと同様の形態のカプセル用いることもできる。
【００５９】
極小のカプセル内に薬剤等を内包したマイクロカプセルをカートリッジ内に収容してもよい。
【００６０】
カプセルの内容物として、ケミカル系試薬だけでなく、生物化学系試薬や、嫌気条件や不活化等を満たす窒素やアルゴン等の気体、粉末（パウダー）でもよい。また、不活性ガスを満たしたカプセルの使用により、試薬を失活することなく、保存できる。さらに、粉末と溶媒、液体と溶媒、気体と溶媒、の組合せを内容物としてもよい。
【００６１】
また、カプセルの破壊する方法として、アクチュエータ等を用いて押し潰す方法だけではなく、ローラや針刺激、あるいは加熱による方法を用いてもよい。
【００６２】
さらに、カプセルから放出される内容部の混合を促進するための構成をカートリッジに設けても良い。例えば、内容物が放出される流路を屈曲させ、あるいは流路を流れの障害となる形状に形成することで対流を生じさせることで、溶液等の混合性を向上させることができる。
【００６３】
本発明の適用範囲は上記実施形態に限定されることはない。本発明は、外部から与えられた力による変形により内容物を移動させて化学処理を行わせる化学処理用カートリッジおよび化学処理用カートリッジと組み合わせて使用されるカプセルに対し、広く適用することができる。
【符号の説明】
【００６４】
１，１Ａ，１Ｂ，１Ｃ，１Ｄ，１Ｅ，１Ｆ  カプセル
２，２Ａ，２Ｂ，２Ｃ  化学処理用カートリッジ
３２    カプセル
Ｒ２    領域
【図１】
2010137215.tif 000003
【図２】
2010137215.tif 000004
【図３】
2010137215.tif 000005
【図４】
2010137215.tif 000006
【図５】
2010137215.tif 000007
【図６】
2010137215.tif 000008
【図７】
2010137215.tif 000009
【図８】
2010137215.tif 000010
【図９】
2010137215.tif 000011